(57)【特許請求の範囲】
【請求項１】
機関から排出され排ガス管を経て大気中へ放出される排ガスの流れに面する壁面部の同排ガスによる汚れを防止する排ガス汚れ防止装置であって、当該排ガス汚れ防止装置が、給水手段に接続された水噴射管を有し、同水噴射管が、上記排ガス管の排出口部の周辺における外板の外表面に向けて同外表面に対し小さな噴射角度で水を噴射して水の防護幕を形成する第１の水噴射口と、外板の外表面から小さな角度で離れる方向に水を噴射して水の防護幕を形成する第２の水噴射口とを備えていることを特徴とする、排ガス汚れ防止装置。
【発明の詳細な説明】
【０００１】
【発明の属する技術分野】
本発明は、内燃機関等の機関から排出され排ガス管を経て大気中へ放出される排ガスによる汚れを防止する排ガス汚れ防止装置、例えば船内の内燃機関から排出され船側外板部より船外へと排出される排ガスによる船体の汚損を防止する船体汚損防止装置として適用することのできる、排ガス汚れ防止装置に関する。
【０００２】
【従来の技術】
従来、例えば船内の内燃機関から排出され排ガス管を経て大気中へ放出される排ガスにより船体が汚損するのを防止するための対策としては、一旦船外へ排出された排ガスが船体側へ流れ寄ることのないように、排ガスを整流して排出する等の何らかの方法により、排ガスの流れの態様を調整して、船体の汚損を防止しようとする方法が多かった。
【０００３】
【発明が解決しようとする課題】
ところで、上記従来の方法は、主として整流によるもので、いかに工夫しても船体の外板等の壁面が黒く汚れるのを避けることができず、船体の排ガスによる汚損は防ぐことができないものと考えられていた。このような排ガスによる船体の汚損は、船体の美観を損ねるばかりでなく、船体のメンテナンスにおいても多大な労力を要していた。
【０００４】
そこで、本発明は、機関から排出され大気中へ放出される排ガスの流れに面する壁面部が排ガスにより汚れるのを完全に防止することができるようにし、船体に適用して船体の排ガスによる汚損を防止する際には、船体の周囲の海水を有効に利用することができるようにし、停舶時においても排煙による船体の汚損を効果的に防止することができるようにし、船体のメンテナンスの一環として行なわれる定期的な洗浄の際に船体の洗浄のために費やされる時間と労力とを大幅に軽減することができるようにし、航行時および停泊時を通して常に船体の美観を維持することができるようにした、排ガス汚れ防止装置を提供しようとするものである。
【０００５】
【課題を解決するための手段】
上述の課題を解決するため、本発明の排ガス汚れ防止装置は、機関から排出され排ガス管を経て大気中へ放出される排ガスの流れに面する壁面部の同排ガスによる汚れを防止する排ガス汚れ防止装置であって、当該排ガス汚れ防止装置が、給水手段に接続された水噴射管を有し、同水噴射管が、上記排ガス管の排出口部の周辺における外板の外表面に向けて同外表面に対し小さな噴射角度で水を噴射して水の防護幕を形成する第１の水噴射口と、外板の外表面から小さな角度で離れる方向に水を噴射して水の防護幕を形成する第２の水噴射口とを備えていることを特徴とする。
【０００６】
【発明の実施の形態】
以下、図面により本発明の実施の形態について説明する。図１は本発明の１実施の形態に係る排ガス汚れ防止装置の一部断面平面図、図２は図１の実施の形態に係る排ガス汚れ防止装置のＡ−Ａ線に沿って見た要部正面図、図３（１）は図２の排ガス汚れ防止装置のＢ−Ｂ線に沿って見た要部拡大横断面図、図３（２）は図３（１）のＣ−Ｃ線に沿って見た要部正面図である。
【０００７】
まず図１において、例えば船内の機関から排出された排ガスを導いて船外へと放出する排ガス管１は、船側部の外板２によりその排出口部の外周部において支持され、船外へ向けて開口している。図１、図２および図３（１）に示すように、排ガスの流れに面する壁面部、例えば排ガス管１の排出口部の周辺における外板２の外表面が、排ガス管１の排出口部から排出される排ガスによって汚れるのを防止する排ガス汚れ防止装置は、図示しないポンプにより加圧されて送られる海水等の水を給水する給水手段としての給水管４に接続された水噴射管３を備える。
【０００８】
水噴射管３は、船側部の外板２の外表面側において、排ガス管１の排出口部の周りを取り囲むようにして、環状補強板７により補強された状態で、溶接部８により外板２上に溶接接合されている。そして、水噴射管３には、排ガス管１の排出口部から排出される排ガスの流れに面する壁面部である外板２の外表面への排ガスの粒子すなわち煤の付着を防止するように、同排ガスの流れに面する外板２の外表面と、排ガスの流れとの間に、給水管４を経て送られた海水等の水を噴射する水噴射口６が形成されている。
【０００９】
図３（１）および図３（２）に示すように、水噴射口６は、排ガス管１の排出口部を環状に取り囲む水噴射管３から、排ガス管１の排出口部の概ね半径方向外方へと、放射方向に排ガス管１の排出口部の周辺における外板２の外表面に沿って水を噴射することができるように方向付けられて、環状の水噴射管３の外周側の側壁部に列状に配列されて形成されている。その際、水噴射口６を、排ガス管１の排出口部の周辺における外板２の外表面に向けて同外表面に対しごく小さな噴射角度で水を噴射して水の防護幕を形成する水噴射口６ａと、外板２の外表面からごく小さな角度で離れる方向に水を噴射して水の防護幕を形成する水噴射口６ｂとにより、水噴射管３の外周側の側壁部に対して２段に形成し、排ガスの流れに面する壁面部である外板２の外表面への排ガスの粒子すなわち煤の付着をより一層効果的に確実に防止するようにすることができる。この場合、水噴射口６ａを形成する各孔の横断面の大きさを、水噴射口６ｂを形成する各孔の横断面の大きさよりもやや小さくしておくことができる。
【００１０】
外板２の外表面からごく小さな角度で離れる方向に水を噴射して水の防護幕を形成する水噴射口６ｂから噴射された水の幕により、排ガス管１の排出口部から排出された排ガスが、排ガス管１の排出口部の周辺における外板２の外表面から遠避けられ、また、排ガス管１の排出口部の周辺における外板２の外表面に向けて同外表面に対しごく小さな噴射角度で水を噴射して水の防護幕を形成する水噴射口６ａから噴射された水の幕は、排ガス管１の排出口部から排出された排ガスの粒子すなわち煤が、排ガス管１の排出口部の周辺における外板２の外表面に付着するのを未然に防止し、仮に排ガス管１の排出口部から排出された排ガスの粒子が、排ガス管１の排出口部の周辺における外板２の外表面に付着したとしても、そのような排ガスの粒子を外板２の外表面上に定着させることなく直ちに噴き落としてしまう役割を果たす。
【００１１】
上述のように、船内の内燃機関等の機関から排出された排ガスは、排ガス管１を通って大気中へ放出されるが、この過程において、水噴射管３により供給された海水等の水は、船体の航走中に噴射され、上述のようにして水の幕を形成し、煤を含んだ排ガスの粒子が直接外板に付着しにくくなるようにする。そして、水噴射管３により供給された海水等の水による洗浄効果も加わって、船体の汚損が効果的に防止される。排ガス管１の排出口部は、例えば停泊時等において排ガス管１の排出口部から排ガスが排出されない間、カバー５により閉塞し、排ガス管１内に外部から異物が入り込まないようにされる。
【００１２】
図４は本発明の図１とは異なった、他の実施の形態に係る排ガス汚れ防止装置の一部断面平面図、図５は図４の実施の形態に係る排ガス汚れ防止装置のＤ−Ｄ線に沿って見た横断面図、図６（１）は図５の排ガス汚れ防止装置のＥ−Ｅ線に沿って見た要部拡大縦断面図、図６（２）は図６（１）のＦ−Ｆ線に沿って見た要部正面図である。
【００１３】
図４および図５において、例えば船内の機関から排出された排ガスを導いて船外へと放出する排ガス管１１は、船側部の外板１２により、その排出口部の外周部において支持され、船外へ向けて開口している。図４、図５および図６（１）に示すように、排ガス汚れ防止装置は、図１に示した水噴射管３と同様な水噴射管１３を、船側部の外板１２の外表面側において、排ガス管１の排出口部の周りを取り囲むようにして有しているほかに、さらに、排ガスの流れに面する壁面部、例えば排ガス管１１の排出口部の上方に位置する外板１２の外表面が、停泊中に排ガス管１から排出された排ガスによって汚損されるのを防止するために、図示しないポンプにより加圧されて送られる海水等の水を給水する給水手段としての給水管１５ａに、給水管継手部１５を介して接続された水噴射管１４を有している。
【００１４】
水噴射管１４は、排ガス管１１の曲がり部の内周側の部分において、排ガス管１１の外周壁を半周分だけ取り囲むようにして、筒状補強板１７により補強された状態で、溶接部１８により排ガス管１１の曲がり部の内周側の部分に周方向に形成された周溝を塞ぐようにして排ガス管１１の外周面上に溶接接合されている。そして、水噴射管１４には、停泊中に排ガス管１１の排出口部から排出される排ガスの流れに面する壁面部である排ガス管１１の排出口部の上方の外板２の外表面への排ガスの粒子すなわち煤の付着を防止するように、排ガス管１１の内周壁面から、排ガスの流れに向けて、給水管１５ａを経て送られた海水等の水を噴射する水噴射口１６が形成されている。また水噴射管１４の両端部は、それぞれ閉塞部１３ａにより閉塞されている。
【００１５】
図６（２）に示すように、水噴射口１６は、排ガス管１１の曲がり部の内周側の部分に周方向に形成された周溝を通して排ガスの流れに向けて海水等の水を噴射することができるように、排ガス管１１の周方向に配列された多数の２列配列のスリット１６ａ、１６ｂにより構成することができる。
【００１６】
上述のように、停舶中においては、内燃機関等の機関から排出された排ガスは、排ガス管１１を通して大気中へと放出されるが、この過程において、水噴射管１４から海水等の水が噴射される。その結果、排ガスが煤を含んだ状態で放出されても、排ガス中の煤の上昇を抑制することができ、排ガス管１１の排出口部の上方の外板２の外表面への排ガスの粒子すなわち煤の付着が防止されて、船体の上部が汚損されることがない。
【００１７】
図４ないし図６（２）に示した排ガス汚れ防止装置によれば、航走時のみならず停舶時においても、船体の汚損を防止することができる。すなわち、航走時にはポンプにより加圧された海水等の水を例えば船体の後方へと流して、排ガスと船体との間に水の幕すなわち水のカーテンを作り、排ガスと船体とを物理的に隔離するとともに、船体に付着した排ガスの粒子すなわち煤を噴き落とす洗浄をも兼ねた効果も得られる。また、停舶中には、排ガス管内に水を噴射して、排ガス中の粒子すなわち煤の上昇を抑制し、排ガス管１１の排出口部の上方の外板２の外表面への排ガスの粒子すなわち煤の付着を防止するものである。
【００１８】
【発明の効果】
本発明の排ガス汚れ防止装置によれば、機関から排出され排ガス管を経て大気中へ放出される排ガスの流れに面する壁面部の同排ガスによる汚れを防止する排ガス汚れ防止装置であって、当該排ガス汚れ防止装置が、給水手段に接続された水噴射管を有し、同水噴射管が、上記排ガス管の排出口部の周辺における外板の外表面に向けて同外表面に対し小さな噴射角度で水を噴射して水の防護幕を形成する第１の水噴射口と、外板の外表面から小さな角度で離れる方向に水を噴射して水の防護幕を形成する第２の水噴射口とを備えているので、機関から排出され大気中へと放出される排ガスの流れに面する壁面部が排ガスにより汚れるのを完全に防止することができ、船体に適用して船体の排ガスによる汚損を防止する際には船体の周囲の海水を有効に利用することができ、停舶時においても排煙による船体の汚損を効果的に防止することができ、船体のメンテナンスの一環として行なわれる定期的な洗浄の際に船体の洗浄のために費やされる時間と労力とを大幅に軽減することができ、航行時および停泊時を通して常に船体の美観を維持することができる。
【図面の簡単な説明】
【図１】本発明の１実施の形態に係る排ガス汚れ防止装置の一部断面平面図である。
【図２】図１の排ガス汚れ防止装置のＡ−Ａ線に沿って見た要部正面図である。
【図３】図３（１）は図２の排ガス汚れ防止装置のＢ−Ｂ線に沿って見た要部拡大横断面図であり、図３（２）は図３（１）のＣ−Ｃ線に沿って見た要部正面図である。
【図４】本発明の図１とは異なった他の実施の形態に係る排ガス汚れ防止装置の一部断面平面図である。
【図５】図４の実施の形態に係る排ガス汚れ防止装置のＤ−Ｄ線に沿って見た横断面図である。
【図６】図６（１）は図５の排ガス汚れ防止装置のＥ−Ｅ線に沿って見た要部拡大縦断面図であり、図６（２）は図６（１）のＦ−Ｆ線に沿って見た要部正面図である。
【符号の説明】
１    排ガス管
２    船体外板
３    水噴射管
４    給水管
５    カバー
６，６ａ，６ｂ    水噴射口
７    環状補強板
１１    排ガス管
１２    船体外板
１３    水噴射管
１３ａ    閉塞部
１４    水噴射管
１５    給水管継手部
１５ａ    給水管
１６    水噴射口
１６ａ，１６ｂ    スリット
１７    筒状補強板
【図１】
0003572196.tif 000002
【図２】
0003572196.tif 000003
【図３】
0003572196.tif 000004
【図４】
0003572196.tif 000005
【図５】
0003572196.tif 000006
【図６】
0003572196.tif 000007